【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
回路カードを保持する回路カードリテーナであって；
前記リテーナの長手方向軸を定める、或る長さのスプリングワイヤを備え；
前記スプリングワイヤは前記リテーナの面内に位置し、前記リテーナの波形部を画定するよう形成され、
前記波形部は、前記リテーナの面内に位置するスプリングワイヤの山および谷を有し、前記山および／または谷のうち少なくともいくつかは前記リテーナの前記軸からオフセットされる；
回路カードリテーナ。
【請求項２】
スナップオフ凹部をさらに備える；
請求項１に記載のリテーナ。
【請求項３】
前記リテーナの波形部の一端で前記軸と実質的に平行に延びる前記スプリングワイヤの直線部をさらに含む；
請求項１に記載のリテーナ。
【請求項４】
前記直線部がスナップオフ凹部を含む；
請求項３に記載のリテーナ。
【請求項５】
前記リテーナの波形部の反対端で、前記軸に対して実質的に垂直に延びる前記スプリングワイヤの係止部をさらに含む；
請求項３に記載のリテーナ。
【請求項６】
スナップオフ凹部をさらに備える；
請求項５に記載のリテーナ。
【請求項７】
前記係止部は前記リテーナの面内に位置する；
請求項５に記載のリテーナ。
【請求項８】
前記リテーナの波形部の端で前記軸に対して実質的に垂直に延びる前記スプリングワイヤの係止部をさらに含む；
請求項１に記載のリテーナ。
【請求項９】
前記係止部は前記リテーナの面内に位置する；
請求項８に記載のリテーナ。
【請求項１０】
前記山および谷を前記波形部において規則的に離間させる；
請求項１に記載のリテーナ。
【請求項１１】
回路カードリテーナによってクランプ面に当接して回路カードを保持する装置であって、
予め形成された長さのスプリングワイヤを備え、前記スプリングワイヤは、前記回路カードおよび前記クランプ面に対して実質的に垂直方向の力を与える；
装置。
【請求項１２】
前記予め形成された長さのスプリングワイヤがさらにスナップオフ凹部を含む；
請求項１１に記載の装置。
【請求項１３】
或る長さのスプリングワイヤを含む回路カードリテーナを備え、前記スプリングワイヤは、前記リテーナの長手方向軸を定め、前記リテーナの面内に位置し、前記リテーナの波形部を画定するよう形成され、前記波形部は、前記リテーナの面内に位置するスプリングワイヤの山および谷を有し、前記山および／または谷のうち少なくともいくつかが前記リテーナの前記軸からオフセットされる；
請求項１１に記載の装置。
【請求項１４】
リテーナガイドをさらに備え、前記リテーナガイドは、前記リテーナの面を受け入れ、前記回路カードおよび前記クランプ面に対して実質的に垂直に配向する溝を内側に有する；
請求項１３に記載の装置。
【請求項１５】
前記リテーナガイドの溝が或る長さを有し、
前記リテーナは、前記リテーナガイドの溝の長さより長く、前記リテーナの前記波形部の一端で前記リテーナの前記軸と実質的に平行に延びる、前記スプリングワイヤの直線部を含む；
請求項１４に記載の装置。
【請求項１６】
前記リテーナの波形部の反対端で前記軸に対して実質的に垂直に延びる前記スプリングワイヤの係止部をさらに含む；
請求項１５に記載の装置。
【請求項１７】
前記リテーナガイドおよび係止部は、前記係止部が前記リテーナガイドに当接されることで、前記リテーナが前記リテーナガイドの溝を通って引っ張られる範囲を制限するよう、互いに構成される；
請求項１６に記載の装置。
【請求項１８】
前記スプリングワイヤが或る断面寸法を有し、
前記装置は、前記リテーナを受け入れる溝を内側に有するリテーナガイドをさらに備え、
前記リテーナガイドの溝は、前記スプリングワイヤの断面寸法よりも長い距離を隔てて離間する一対の側壁を有し、前記回路カードおよび前記クランプ面に対して実質的に垂直に延びる；
請求項１１に記載の装置。
【請求項１９】
前記リテーナガイドおよび前記クランプ面は、前記リテーナによって前記回路カードを留める離間した面を画定する；
請求項１８に記載の装置。
【請求項２０】
前記リテーナガイドおよびクランプ面は、基準面から外側にほぼ垂直に延びてカード受けチャネルを画定し、
前記リテーナガイドの溝は、前記リテーナの面が前記基準面と実質的に平行に延びるように前記リテーナを配向するよう構成される；
請求項１９に記載の装置。
【請求項２１】
前記クランプ面を形成するシャーシをさらに備える；
請求項２０に記載の装置。
【請求項２２】
前記シャーシが前記リテーナガイドを含む；
請求項２１に記載の装置。
【請求項２３】
予め形成された長さのスプリングワイヤを備える回路カードリテーナをさらに備え、前記スプリングワイヤは、前記リテーナを前記リテーナガイドの溝に取付けると、前記回路カードおよび前記クランプ面に対して実質的に垂直方向の力を与える；
請求項２２に記載の装置。
【請求項２４】
クランプ面に当接して回路カードを保持する方法であって；
予め形成された長さのスプリングワイヤを備える回路カードリテーナを用いて、前記回路カードおよび前記クランプ面に対して実質的に垂直方向の力を与えるステップを含む；
方法。
【請求項２５】
或る長さのスプリングワイヤを含む回路カードリテーナを提供するステップであって、前記スプリングワイヤは、前記リテーナの長手方向軸を定め、前記リテーナの面内に位置し、前記リテーナの波形部を画定するよう形成され、前記波形部は、前記リテーナの面内に位置するスプリングワイヤの山および谷を有し、前記山および／または谷のうち少なくともいくつかは前記リテーナの前記軸からオフセットされる、ステップと；
前記リテーナの面を前記回路カードに対して実質的に垂直に配向して前記リテーナを配置するステップとをさらに備える；
請求項２４に記載の方法。
【請求項２６】
前記リテーナの位置決めステップに先立ち、前記リテーナにスナップオフ凹部を形成するステップをさらに備える；
請求項２５に記載の方法。
【請求項２７】
前記リテーナの位置決めステップの後に、前記スナップオフ凹部で前記リテーナの一部を折り取るステップをさらに備える；
請求項２６に記載の方法。
【請求項２８】
前記リテーナを受け入れ、前記リテーナの面を前記回路カードおよび前記クランプ面に対して実質的に垂直に配向する溝を内側に有するリテーナガイドを提供するステップをさらに備える；
請求項２５に記載の方法。
【請求項２９】
前記回路カードを前記クランプ面に対して位置決めした後に、前記溝を通って前記リテーナを引っ張るステップをさらに備える；
請求項２８に記載の方法。
【請求項３０】
前記スプリングワイヤの係止部を含むリテーナを提供するステップであって、前記係止部は前記リテーナの波形部の反対端で前記軸に対して実質的に垂直に延び、前記係止部を引っ張り前記リテーナガイドと接触させることによって、前記リテーナが前記溝を通って引っ張られる範囲を制限する、ステップをさらに備える；
請求項２９に記載の方法。
【請求項３１】
前記リテーナガイドの溝が或る長さを有し、
前記リテーナが、前記溝の長さより長い長さを有し、
前記リテーナガイドを越えて延びる前記リテーナの一部を切断するステップをさらに備える；
請求項２９に記載の方法。
【請求項３２】
前記溝を越えて延びる前記リテーナの一部を折り曲げて、前記リテーナを前記溝に固定するステップをさらに備える；
請求項３１に記載の方法。
【請求項３３】
前記スプリングワイヤの直線部を含むリテーナを提供するステップであって、前記直線部は、前記リテーナガイドの溝の長さより長い長さを有し、前記直線部は前記リテーナの波形部の一端で前記リテーナの前記軸と実質的に平行に延びる、ステップと；
前記直線部を前記溝を介して送り込むステップと；
前記リテーナの波形部を、前記リテーナの直線部を引っ張ることによって、前記溝に引き込むステップとをさらに備える；
請求項２９に記載の方法。
【請求項３４】
前記リテーナの波形部を前記溝に引き込むステップの後に、前記直線部の少なくとも一部を除去するステップをさらに備える；
請求項３３に記載の方法。
【請求項３５】
前記直線部を前記溝を介して送り込むステップに先立ち、スナップオフ凹部を前記リテーナに形成するステップと；
前記リテーナの波形部を前記溝に引き込むステップの後に、前記リテーナの一部を前記スナップオフ凹部で折り取るステップとをさらに備える；
請求項３３に記載の方法。
【請求項３６】
前記スプリングワイヤの係止部を有するリテーナを提供するステップであって、前記係止部は前記リテーナの波形部の反対端で前記軸に対して実質的に垂直に延び、前記係止部を引っ張り前記リテーナガイドと接触させることによって、前記リテーナが前記リテーナガイドの前記チャネルを通って引っ張られる範囲を制限する、ステップをさらに備える；
請求項３３に記載の方法。
【手続補正２】
【補正対象書類名】図面
【補正対象項目名】図７
【補正方法】変更
【補正の内容】
【図７】
2006245587.tif 000001